(57)【要約】【課題】  美顔器を使用する本人が美顔器を肌に当接するだけで、光エネルギーの作用を付与する機能を含む多機能を選択的に施す美顔器を提供することを目的とする。【解決手段】  本考案に係る美顔器は、少なくとも一部が透光性の樹脂材から形成され、１又は２以上の色層の光を発光する光源が内部に配置された円盤状のヘッド部と、ヘッド部を上端面に有し、振動体及び発熱体を内部に有し、振動体の起動、発熱体の発熱、及び光源の点灯のうち少なくとも１つを選択する１又は２以上のスイッチを側面に配置した把持可能な円柱状のボディ部と、を備える美顔器である。【選択図】図１
0003205601.tif 000002
【実用新案登録請求の範囲】
【請求項１】
少なくとも一部が透光性の樹脂材から形成され、１又は２以上の色層の光を発光する光源が内部に配置された円盤状のヘッド部と、
前記ヘッド部を上端面に有し、振動体及び発熱体を内部に有し、前記振動体の起動、前記発熱体の発熱、及び前記光源の点灯のうち少なくとも１つを選択する１又は２以上のスイッチを側面に配置した把持可能な円柱状のボディ部と、を備える美顔器。
【請求項２】
前記ヘッド部の一部に前記スイッチに接続する導電体からなる導電材が配置されている、請求項１に記載の美顔器。
【請求項３】
前記樹脂材は、前記スイッチに接続する導電体からなる導電材が内接する、タッチパネルセンサーである、請求項1の美顔器。
【請求項４】
前記樹脂材は、前記スイッチに接続する導電体からなる導電材が内接する、導電性樹脂である、請求項１に記載の美顔器。
【請求項５】
前記樹脂材の内面の少なくとも前記光源より光が照射される部分は、該光を散乱させる溝を有する、請求項1〜４のいずれか一の請求項に記載の美顔器。
【請求項６】
前記光源は、青色光を発する第１の光源と赤色光を発する第２の光源とを含む、請求項１〜５のいずれか一項に記載の美顔器。
【請求項７】
前記光源は、ＬＥＤである、請求項１〜６のいずれか一項に記載の美顔器。
【請求項８】
前記ヘッド部は、凸面状である、請求項１〜７のいずれか一項に記載の美顔器。
【請求項９】
前記ヘッド部は、前記ボディ部の中心軸に対して前記スイッチが配置された側面の方向に３０〜４５度傾斜する、請求項１〜８のいずれか一項に記載の美顔器
【請求項１０】
前記ボディ部は、前記ボディ部の前記上端面から１／５〜１／８の位置から前記スイッチが配置された側面の方向に３０〜４５度屈曲する、請求項１〜８のいずれか一項に記載の美顔器。
【請求項１１】
前記スイッチは、直径１〜５ｍｍの円形状スイッチであり、前記ボディ部の中心軸に平行な方向に２以上配設される、請求項１〜１０のいずれか一項に記載の美顔器。
【考案の詳細な説明】
【技術分野】
【０００１】
本考案は、多機能のハンディタイプの美顔器に関するものである。
【背景技術】
【０００２】
従来、人体の肌面に当接して振動を付与するもの、遠赤外線を照射するもの等、様々な機能を発揮するハンディタイプの美顔器が開発され、それぞれの用途に応じて活用されている。また、複数の機能を同時に又は選択的に発揮する美顔器が求められている。例えば、特許文献１では、超音波振動の付与、遠赤外線の照射、及びマイナスイオンの付与の機能を選択的に、単独又は組み合わせて、用途に応じて使い分けることを可能とした美顔器が開示されている。また、特許文献２では、超音波振動によって肌に刺激を与えて肌細胞を活性化させる機能と、光エネルギーの作用を付与する機能とを選択的に、単独又組み合わせて、用途に応じて使い分けることを可能とした美顔器が開示されている。
【０００３】
しかしながら、これらの美顔器を家庭内で使用する場合、美顔器を使用する本人が美顔器を自身の顔に当接して使用することから、使用中に他の機能を選択するには、目視で選択すべき機能を確認するために美顔器を顔から離す必要があり、煩雑であった。
【０００４】
一方、非特許文献１には、美顔器のボディ部の所定の部分を把持して、美顔器の金属製ヘッド部を肌に当接すると、体に流れる微電流を利用して作動して、マイナスイオンの付与の機能と微振動による刺激とを肌に与える美顔器が開示されている。しかし、ヘッド部全体が金属製であり、ヘッド部に光エネルギーの作用を付与する機能を付与することができなかった。
【先行技術文献】
【特許文献】
【０００５】
【特許文献１】特開２００５−３２３９７０号公報
【特許文献２】登実３２００８５２号公報
【非特許文献】
【０００６】
【非特許文献１】http://areti.jp/skincare/minusionapplicator.html
【考案の概要】
【考案が解決しようとする課題】
【０００７】
本考案は、家庭内で美顔器を使用する場合、美顔器を使用する本人が美顔器を肌に当接するだけで、光エネルギーの作用を付与する機能を含む多機能を直感的に選択して施す美顔器を提供することを目的とする。
【課題を解決するための手段】
【０００８】
本考案に係る美顔器は、
少なくとも一部が透光性の樹脂材から形成され、１又は２以上の色層の光を発光する光源が内部に配置された円盤状のヘッド部と、ヘッド部を上端面に有し、振動体及び発熱体を内部に有し、振動体の起動、発熱体の発熱、及び光源の点灯のうち少なくとも１つを選択する１又は２以上のスイッチを側面に配置した把持可能な円柱状のボディ部と、を備える美顔器である。
【０００９】
本考案により、美顔器のヘッド部を使用者が顔の肌に当接すると、微振動によって肌に刺激を与えて肌細胞を活性化させる機能、発熱体からの熱により肌を暖め血液循環を良くする機能、及び光エネルギーの作用を付与する機能を単独又組み合わせて選択的に用途に応じて使い分けることが可能となる。
【００１０】
本考案に係る美顔器は、
ヘッド部の一部にスイッチに接続する導電体からなる導電材が配置されている美顔器である。
【００１１】
本考案によれば、スイッチに触れながらボディ部を把持してヘッド部を肌に当接すると、美顔器は体に流れる微電流を利用して作動し、また、多機能を直感的に選択することができる。  
【００１２】
本考案に係る美顔器の樹脂材は、スイッチに接続する導電体からなる導電材が内接する、タッチパネルセンサーである、美顔器である。
【００１３】
ヘッド部の樹脂材がタッチパネルセンサーであれば、スイッチに触れながらボディ部を把持してヘッド部を肌に当接すると、ヘッド部が肌に当接したことを感知して、美顔器は作動する。
【００１４】
本考案に係る美顔器の樹脂材は、スイッチに接続する導電体からなる導電材が内接する、導電性樹脂である、美顔器である。
【００１５】
ヘッド部の樹脂材が導電性樹脂であれば、スイッチに触れながらボディ部を把持してヘッド部を肌に当接すると、美顔器は体に流れる微電流を利用して作動する。
【００１６】
また、本考案に係る美顔器の樹脂材の内面の少なくとも光源より光が照射される部分は、光を散乱させる溝を有する、美顔器である。
【００１７】
樹脂材の内面の、光源より光が照射される部分に、光を散乱させる溝を有すると、照射された光は散乱し、肌の広い範囲に光を照射することができ、また、照射された光が直接目に入ったとしても、目を損傷させることはない。
【００１８】
本考案に係る美顔器の光源は、青色光を発する第１の光源と赤色光を発する第２の光源とを含む、美顔器である。
【００１９】
青色の光は、ニキビの原因であるアクネ菌を死滅させ、皮脂腺から出る過剰な皮脂の分泌を抑制し、ニキビを鎮静化させるとともに、ニキビのできにくい肌をつくる効果がある。また、赤色の光は、筋肉層まで到達する波長の光であり、コラーゲンとエラスチン生成を促進し、細胞を増殖させることで肌に弾力が生まれ、シワの改善などのアンチエイジング効果がある。
【００２０】
本考案に係る美顔器の光源は、ＬＥＤである、美顔器である。
【００２１】
光源が、ＬＥＤであれば、光源が高温とはならず、美顔器のヘッド部を肌に当接しても、火傷することはない。
【００２２】
本考案に係る美顔器のヘッド部は、凸面状である、美顔器である。
【００２３】
美顔器のヘッド部が凸面状であれば、確実に美顔器のヘッド部を肌に当接することができる。
【００２４】
また、本考案に係る美顔器のヘッド部は、ボディ部の中心軸に対して、スイッチが配置された側面の方向に３０〜４５度傾斜する、美顔器である。
【００２５】
美顔器のヘッド部は、ボディ部の中心軸に対して、スイッチが配置された側面の方向に３０〜４５度傾斜していると、美顔器のヘッド部を肌に当接することが容易となるとともに、親指でスイッチを操作することが可能であることから、任意のスイッチを選択することが容易となる。
【００２６】
また、本考案に係る美顔器のボディ部は、ボディ部の上端面から１／５〜１／８の位置からスイッチが配置された側面の方向に３０〜４５度屈曲する美顔器である。
【００２７】
美顔器の美顔器のボディ部は、ボディ部の上端面から１／５〜１／８の位置からスイッチが配置された側面の方向に３０〜４５度屈曲していると、同様に、美顔器のヘッド部を肌に当接することが容易となるとともに、親指でスイッチを操作することが可能であることから、任意のスイッチを選択することが容易となる。
【００２８】
また、本考案に係る美顔器のスイッチは、直径１〜５ｍｍの円形状スイッチであり、ボディ部の中心軸に平行な方向に２以上配設された美顔器である。
【００２９】
親指により、誤操作することなく、容易に任意の機能を選択するために所定のスイッチを選択することが可能である。
【考案の効果】
【００３０】
本考案による美顔器は、家庭内で使用する際に、美顔器を使用する本人が美顔器を本人自身の顔に当接して使用中に、選択すべき機能のスイッチを目視確認することなく、直感的に機能を選択することができる。
【図面の簡単な説明】
【００３１】
【図１】図１は、第１の実施形態に係る美顔器の構成を示す全体図である。
【図２】図２は、第１の実施形態に係る美顔器の部品の分解した状態を示す模式斜視図である。
【図３】図３は、第２の実施形態に係る美顔器の構成を示す全体図である。
【図４】図４は、第２の実施形態に係る美顔器のヘッド部の光源の別の配置例を示す正面図である。
【考案を実施するための形態】
【００３２】
以下、本考案の幾つかの形態を、説明する。
【００３３】
（第1の実施形態）
図１に、第1の実施形態に係る美顔器１の構成を示し、（１）は側面図であり、（２）は正面図である。美顔器１は、ボディ部３及びヘッド部２からなる。
【００３４】
ボディ部３は、円柱形状を有し、その一側に図面上下方向に一列に並ぶ３個の導電体からなるスイッチ２１ａ、２１ｂ、２１ｃ（これらをまとめてスイッチ２１とも称する）が配置されている。
【００３５】
また、図２の部品の分解した状態を示す模式斜視図に示したように、ボディ部３は、前蓋３２、後蓋３９及び底蓋３８からなる。その内部には、発熱体１５、発熱体１５を支持する発熱体支持部材３１、毎分８，０００〜１０，０００回転するモータにより微振動を発する振動体１４、及び電池抑え３５ａ、３５ｂが組み込まれた電池ホルダ３７が組み込まれている。前蓋３２に設けられたスイッチ孔３６には、導電性の接触柱３４が挿入され、スイッチ２１を形成している。なお、美顔器１の使用時には、電池４０を電池ホルダ３７に装填し電源とする。
【００３６】
スイッチ２１は、直径１〜５ｍｍの円形状であり、親指で容易に操作することが可能である。直径が１ｍｍ以下であると、スイッチを確実に操作することが難しいので好ましくなく、また、親指の先で操作できる大きさであれば良いので５ｍｍ以上である必要はない。一方、スイッチ２１の数は、単独又は複数の機能を選択する数に対応した数とすれば良く、３個に限られない。
【００３７】
各スイッチ２１の離間距離は１０ｍｍ以上とする。１０ｍｍ以下とすると、同時に２以上のスイッチ２１に触れて誤操作を起こす可能性があることから、好ましくない。なお、各スイッチ２１間で１０ｍｍ以上の離間距離を確保できるのであれば、スイッチ２１の形状は円形に限らず、例えば、矩形でも良い。
【００３８】
また、ボディ部３は、ボディ部３の上端側の１／５〜１／８の部分がスイッチ２１が配置された側面の方向に約４０度屈曲している。これにより、ボディ部３を手で把持し、後述するヘッド部２を肌に当接することを容易にしている。なお、ヘッド部２が、ボディ部３の中心軸方向に垂直な面に対して、スイッチ２１が配置された側面の方向に傾斜していても良い。ボディ部３の屈曲の角度、又は、ヘッド部２の傾斜が、０〜６０度であれば、ヘッド部を肌に当接するのに適しており、３０〜４５度であれば、より容易に当接可能で、好ましい。
【００３９】
ヘッド部２は、円柱状のボディ部３の上端面に設けられている。ヘッド部２は、平面であっても、凸面状であってもよいが、凸面状であれば、ヘッド部２を肌に当接させた際に、肌の輪郭や変形に応じて容易に当接することができるので好ましい。
【００４０】
ヘッド部２は、円盤状の透明なシート状の樹脂材１６からなり、青色を発光するＬＥＤからなる３個の第１の光源１１及び赤色を発光するＬＥＤからなる３個の第２の光源１２とを有するＬＥＤキット３３と、導電体からなる導電材１３と、を含む。
【００４１】
樹脂材１６は、透光性の厚さが１．２ｍｍのタッチパネルセンサーからなり、ヘッド部２が肌に当接すると、肌が当接したことを感知し、美顔器１は作動する。タッチパネルセンサーは、方式は限られないが、透明性、耐久性並びに水滴によって誤作動しない点などから、静電容量方式であれば、好ましい。また、樹脂材１６の厚さは、強度が保持でき、後述の発熱体１３の熱を伝熱できればよく、例えば、１〜２ｍｍであれば好ましい。なお、樹脂材１６は、第１の光源１１及び第２の光源１２が発光する光を透過でできればよく、透明に限らず半透明であっても良い。
【００４２】
第1の光源１１と第２の光源１２は、樹脂材１６に覆われている。一方、樹脂材１６の内面の第1の光源１１と第２の光源１２から発せられた光が照射される部分には、０．１〜１ｍｍ間隔の溝を有し、第1の光源１１と第２の光源１２から発せられた光が樹脂材１６を透過する際に散乱し、肌の広い範囲に照射することができる。なお、第1の光源１１と第２の光源１２から発せられた光が散乱することにより、その光が直接目に入ったとしても、目に障害を与えることはない。また、第1の光源１１と第２の光源１２から発せられた光が樹脂材１６を透過する際に散乱することができれば良く、溝に限らず、凹凸であっても良い。なお、第１の光源１１と第２の光源１２の数は、各３に限らず、任意の数で良い。
【００４３】
導電材１３は、リング状の導電体であって、樹脂材１６の内面に接して装着されている。その材質は、特に限定されるものではないが、導電性と伝熱性を確保するために、例えば、ステンレス等の金属、カーボン等の材質で形成されていることが好ましい。また、導電材１３には、４０度±２度に発熱する発熱体１５が装着されている。なお、第１の光源１１、第２の光源１２及び導電材１３が樹脂材１６に覆われていて外部に露出していないと、美顔器１の内部へ水が浸入することを防止する防水性を容易に得ることができ、好ましい。
【００４４】
（第２の実施形態）
本実施形態に係る美顔器１は、第１の実施形態と同様に、ボディ部３及びヘッド部２からなり、ボディ部３は、第１の実施形態と同様の構成である。
【００４５】
本実施形態に係る美顔器１のヘッド部２は、第１の実施形態と同様に、円柱状のボディ部３の上端面に設けられている。ヘッド部２は、平面であっても、凸面状であってもよいが、凸面状であれば、ヘッド部２を肌に当接させた際に、肌の輪郭や変形に応じて容易に当接することができるので好ましい。
【００４６】
ヘッド部２は、円盤状の透明な導電性の樹脂材１６からなり、青色を発光するＬＥＤからなる３個の第１の光源１１及び赤色を発光するＬＥＤからなる３個の第２の光源１２とを有するＬＥＤキット３３と、導電体からなる導電材１３と、を含む。
【００４７】
一方、樹脂材１６は、透光性の導電性樹脂からなり、透光性であれば良く、透明に限らず半透明であっても良い。また、樹脂材１６の材質は、導電性であれば良く、例えば、ポリアセチレン、ポリピオール、ポリチオフェン、ポリアニリン等の本来の高分子の構造に由来する導電性を保有する本質的な導電性樹脂に限られず、非導電性樹脂に無機導電体を充填することにより導電性が発現する複合導電性樹脂であってもよい。複合導電性樹脂としては、例えば、合成ゴム、ポリオレフィン、塩化ビニル、ポリスチレン、ＡＢＳ、ナイロン、エチレン酢ビ共重合体、ポリエステル、アクリル、エポキシ、ウレタン樹脂等の樹脂に、樹脂に導電性を付与するために、金、銀、銅、アルミニウム、鉄、ステンレス、ニッケル等の金属の粉末や繊維、アセチレンブラックやファーネスブラックなどのカーボンブラック等が混錬分散させたものがある。また、樹脂の表面に導電性塗料を塗布したものや、真空蒸着、スパッタリング、イオンプレーティング等の方法により酸化インジウム、ヨウ化銅、金、パラジウム、クロム、ニッケル、アルミニウムなどの導電性薄膜を形成したものでも良い。なお、導電性樹脂としては、特に限定されるものではないが、透光性と加工性を確保すために、例えば、アクリル樹脂、ポリカーボネート樹脂等にカーボンブラックを分散させたものであると好ましい。
【００４８】
第1の光源１１と第２の光源１２は、第1の実施形態と同様に、樹脂材１６に覆われている。一方、樹脂材１６の内面の第1の光源１１と第２の光源１２から発せられた光が照射される部分には、０．１〜１ｍｍ間隔の溝を有し、第1の光源１１と第２の光源１２から発せられた光が樹脂材１６を透過する際に散乱し、肌の広い範囲に照射することができる。なお、第1の光源１１と第２の光源１２から発せられた光が散乱することにより、その光が直接目に入ったとしても、目に障害を与えることはない。また、第1の光源１１と第２の光源１２から発せられた光が樹脂材１６を透過する際に散乱することができれば良く、溝に限らず、凹凸であっても良い。なお、第１の光源１１と第２の光源１２の数は、各３に限らず、任意の数で良い。
【００４９】
導電材１３は、第1の実施形態と同様に、リング状の導電体であって、樹脂材１６の内面に接して装着されている。その材質は、特に限定されるものではないが、導電性と伝熱性を確保するために、例えば、ステンレス等の金属、カーボン等の材質で形成されていることが好ましい。また、導電材１３には、４０度±２度に発熱する発熱体１５が装着されている。なお、第１の光源１１、第２の光源１２及び導電材１３が樹脂材１６に覆われていて外部に露出していないと、美顔器１の内部へ水が浸入することを防止する防水性を容易に得ることができ、好ましい。
【００５０】
（第３の実施形態）
図３に、第３の実施形態に係る美顔器１の構成を示し、（１）は側面図であり、（２）は正面図である。本実施形態に係る美顔器１は、第１の実施形態と同様に、ボディ部３及びヘッド部２からなり、ボディ部３は、第１の実施形態と同様の構成である。
【００５１】
本実施形態に係る美顔器１のヘッド部２は、第１の実施形態と同様に、円柱状のボディ部３の上端面に設けられている。ヘッド部２は、平面であっても、凸面状であってもよいが、凸面状であれば、ヘッド部２を肌に当接させた際に、肌の輪郭や変形に応じて容易に当接することができるので好ましい。
【００５２】
ヘッド部２は、円盤状の透明な樹脂材１６からなり、青色を発光するＬＥＤからなる３個の第１の光源１１及び赤色を発光するＬＥＤからなる３個の第２の光源１２とを有するＬＥＤキット３３と、導電体からなる導電材１３と、を含む。
【００５３】
樹脂材１６は、透明な樹脂からなる。第２の実施例とは異なり、導電性である必要はなく、その材質は、特に限定されるものではないが、透光性と加工性を確保すために、例えば、アクリル樹脂、ポリカーボネート樹脂等であると好ましい。
【００５４】
第１の光源１１と第２の光源１２は、第1の実施形態を同様に、樹脂材１６に覆われていて、樹脂材１６の内面に有する０．１〜１ｍｍの間隔の溝により、第1の光源１１と第２の光源１２から発せられた光は、樹脂材１６を透過する際に散乱し、肌の広い範囲に照射することができる。なお、第１の光源１１と第２の光源１２は、樹脂材１６を貫通してヘッド部２の表面に露出していてもよい。これにより、光を肌の任意に位置に集中的に照射することができる。また、第１の光源１１と第２の光源１２の数は、各３に限らず、任意の数で良い。
【００５５】
導電材１３は、リング状の導電体であって、その材質は、特に限定されるものではないが、導電性と伝熱性を確保するために、例えば、ステンレス等の金属、カーボン等の材質で形成されていることが好ましい。また、図３には、ヘッド部２がステンレス等の金属に覆われていると、光エネルギーの作用を付与する機能のための光源をヘッド部２に配設することができないため、導電材１３を樹脂材１６の外周部にリング状に１〜５ｍｍ露出させた一例を示す。図４に、その他の一例として、円柱状の導電材１３が樹脂材１６に設けられた円孔に挿入された例を示す。なお、導電材１３は、ヘッド部２を肌に当接させて操作している際に、常に肌に接していれば良く、形状はリング状に限らない。また、導電材１３には、４０度±２度に発熱する発熱体１５が装着されている。
【００５６】
次に、本考案に係る美顔器１の使用方法について、説明する。
【００５７】
美顔器１に設けられた３つのスイッチ２１のうち、第１のスイッチ２１ａには青色光の発光と微振動、第２のスイッチ２１ｂには赤色光の発光と微振動、及び第３のスイッチ２１ｃには発熱と微振動の機能が割り当てられている。なお、この各スイッチ２１への機能の割り当ては、一例であって、必要とする機能に応じて任意に機能の割り当てを行えばよい。
【００５８】
美顔器１のボディ部３を親指で第一のスイッチ２１ａを押さえながら手で把持し、ヘッド部２を顔に当接する。それにより、人体を通じてスイッチ２１ａと導電材１３間に微電流が通電し、第１の光源１１が青色に発光し、モータが回転することにより振動体１４により毎分約９，０００回の微振動が生じる。微振動は肌に刺激を与えて細胞を活性化させ、肌のケアを行うことができる。青色の光は、ニキビの原因であるアクネ菌を死滅させ、皮脂腺から出る過剰な皮脂の分泌を抑制し、ニキビを鎮静化させるとともに、ニキビのできにくい肌をつくる効果をもたらす。また、微電流が流れることから、肌に対する保湿性が向上して肌に潤いをもたらし、肌の血行を良好にして新陳代謝を促進することができる。
【００５９】
一方、第２のスイッチ２１ｂを親指で押さえながらヘッド部２を顔に当接すると、第２の光源１２が赤色に発光し、微振動が生じる。赤色光は、筋肉層まで達する波長の光で、コラーゲンとエラスチン生成を促進し、細胞を増殖させることで肌に弾力が生まれ、シワの改善などアンチエイジング効果をもたらし、また、微振動によるマッサージ効果を促進する。
【００６０】
また、第３のスイッチ２１ｃを親指で押さえながらヘッド部２を顔に当接すると、微振動が生じるとともに、発熱体が発熱する。肌を温めることにより、血液循環が良好となり、また、微振動によるマッサージ効果をより促進する。
【００６１】
なお、ヘッド部２を肌に当接したまま、親指を移動して他のスイッチ２１を選択すれば、任意に別の機能を連続的に選択できる。したがって、別の機能を選択する度に、ヘッド部２を肌から離して、目視確認する煩雑さがない。
【産業上の利用可能性】
【００６２】
本考案に係る美顔器は、家庭内で使用する際に、美顔器を使用する本人が美顔器を本人自身の顔に当接して使用中に、選択すべき機能のスイッチを目視確認することなく、直感的に機能を選択することができる。
【符号の説明】
【００６３】
１…美顔器
２…ヘッド部
３…ボディ部
１１…光源（青色）
１２…光源（赤色）
１３…導電材
１４…振動体
１５…発熱体
１６…樹脂材
２１，２１ａ，２１ｂ，２１ｃ…スイッチ
３１…発熱材支持部材
３２…前蓋
３３…ＬＥＤキット
３４…接触柱
３５ａ，３５ｂ…電池抑え
３６…スイッチ孔
３７…電池ホルダ
３８…底蓋
３９…裏蓋
４０…電池
【図１】
0003205601.tif 000003
【図２】
0003205601.tif 000004
【図３】
0003205601.tif 000005
【図４】
0003205601.tif 000006